(57)【要約】【課題】各家庭で戸別に放送波と無線ＬＡＮまたは無線アクセスによるインターネット接続サービスを利用するに場合において、放送波受信用アンテナとネットワーク接続用アンテナとは別々に設置され、ケーブルも個別に引かれていて不便であった。【解決手段】放送波の受信アンテナ１と無線ＬＡＮまたは無線アクセスによるインターネット接続サービスのための送受信アンテナ２とを一体化するとともに、送受信アンテナ２の出力に対し、少なくとも前置増幅、周波数変換およびインピーダンス変換を行う調整回路１２−２および１５−２を屋外と屋内にそれぞれ設ける（放送受信アンテナ２の出力に対しては、調整回路１２−１および１５−１を屋外と屋内にそれぞれ設ける）ことにより、放送波信号と無線ＬＡＮまたは無線アクセスによるインターネット接続サービスのための信号を１本の同軸ケーブル１０に周波数多重し得るようにした。【選択図】        図２
2004186920.tif 000002
【特許請求の範囲】
【請求項１】
衛星放送波または地上放送波の受信信号、無線ＬＡＮまたは無線アクセスによるインターネット接続サービスの送信信号、および該インターネット接続サービスの受信信号をそれぞれ周波数多重して、１本の同軸ケーブルを介して外部（屋外）と室内の受け渡しを行うように構成したことを特徴とする放送波受信と無線ＬＡＮまたは無線アクセスによるインターネット接続サービスの送受信とを両立させたアンテナ装置。
【請求項２】
衛星放送波または地上放送波を受信する受信アンテナ、
該受信アンテナにより受信された衛星放送の受信信号について少なくとも前置増幅と第１の周波数変換を行い、前記受信アンテナにより受信された地上放送の受信信号について少なくともインピーダンス変換を行う第１の外部調整回路、
無線ＬＡＮまたは無線アクセスによるインターネット接続サービスの電波を送受信する送受信アンテナ、
該送受信アンテナにより受信され、サーキュレータまたは分配器を介し、または介さないで供給された無線ＬＡＮまたは無線アクセスによるインターネット接続サービスの受信信号について、少なくとも前置増幅、第２の周波数変換およびインピーダンス変換を行い、また、信号多重／分離回路からサーキュレータまたは分配器を介して供給され、無線ＬＡＮまたは無線アクセスによるインターネット接続サービスの送信電波を生成するための信号について、少なくともインピーダンス変換および第３の周波数変換を行うためのそれぞれ受信、送信の２系統からなる第２の外部調整回路、
前記第１の外部調整回路と前記第２の外部調整回路と１本の同軸ケーブルとに実質的に接続され、前記第１，第２の外部調整回路から供給される衛星放送または地上放送の受信信号と無線ＬＡＮまたは無線アクセスによるインターネット接続サービスの受信信号とを周波数多重して前記１本の同軸ケーブルに供給するとともに、前記１本の同軸ケーブルから当該回路に伝送され、無線ＬＡＮまたは無線アクセスによるインターネット接続サービスの送信電波を生成するための信号を分離して第２の外部調整回路に供給する前記信号多重／分離回路、
該信号多重／分離回路と信号分離／多重回路とを接続する前記１本の同軸ケーブル、
該１本の同軸ケーブルと第１の室内調整回路、または衛星放送または地上放送の受信機と第２の室内調整回路とに実質的に接続され、前記１本の同軸ケーブルから当該回路に伝送される衛星放送または地上放送の受信信号と無線ＬＡＮまたは無線アクセスによるインターネット接続サービスの受信信号とを分離するとともに、前記第２の室内調整回路から供給され、無線ＬＡＮまたは無線アクセスによるインターネット接続サービスの送信電波を生成するための信号を周波数多重する前記信号分離／多重回路、
該信号分離／多重回路から分離された衛星放送または地上放送の受信信号が供給される前記第１の室内調整回路、または前記衛星放送または地上放送受信機、および
前記信号分離／多重回路からサーキュレータまたは分配器を介して供給され、分離された前記無線ＬＡＮまたは無線アクセスによるインターネット接続サービスの受信信号について、少なくともインピーダンス変換および第４の周波数変換を行い、また、前記無線ＬＡＮまたは無線アクセスによるインターネット接続サービスの送信電波を生成するための信号について、少なくとも第５の周波数変換およびインピーダンス変換を行うためのそれぞれ受信、送信の２系統からなる第２の室内調整回路
を具えて構成したことを特徴とする放送波受信と無線ＬＡＮまたは無線アクセスによるインターネット接続サービスの送受信とを両立させたアンテナ装置。
【請求項３】
請求項２記載のアンテナ装置において、前記第１の室内調整回路は、該回路に供給された信号の電力レベルの調整および／またはインピーダンス整合を行う機能を有していることを特徴とする放送波受信と無線ＬＡＮまたは無線アクセスによるインターネット接続サービスの送受信とを両立させたアンテナ装置。
【請求項４】
請求項２記載のアンテナ装置において、衛星放送の受信に使用する前記第１の外部調整回路は、ＢＳコンバータまたはＣＳコンバータであることを特徴とする放送波受信と無線ＬＡＮまたは無線アクセスによるインターネット接続サービスの送受信とを両立させたアンテナ装置。
【請求項５】
請求項２乃至４のいずれか１項記載のアンテナ装置において、
前記第２（第２の外部調整回路の受信）および第５（第２の室内調整回路の送信）の周波数変換を行う回路は、
変換先の周波数を設定する第１の周波数設定回路、
該第１の周波数設定回路での周波数の設定に基づいて第１の可変局部発振回路と、可変帯域通過フィルタを具えているときには該可変帯域通過フィルタの各周波数を制御するための第１の制御信号を発生する第１の周波数制御回路、
該第１の周波数制御回路からの前記第１の制御信号を受信して当該回路の出力信号（第１の局部発振信号）を第１のミキサ回路に供給して周波数変換を行わせるための前記第１の可変局部発振回路、
無線ＬＡＮまたは無線アクセスによるインターネット接続サービスの受信信号、または無線ＬＡＮまたは無線アクセスによるインターネット接続サービスの送信電波を生成するための信号が供給され、前記第１の局部発振信号に基づいて周波数変換が行われる前記第１のミキサ回路、および
該第１のミキサ回路の出力信号が供給されるとともに、通過帯域が前記第１の周波数制御回路からの前記第１の制御信号によって制御される前記可変帯域通過フィルタ、または前記第１のミキサ回路の出力信号が供給される低域通過フィルタ
を具えて構成し、そして
前記第４（第２の室内調整回路の受信）および第３（第２の外部調整回路の送信）の周波数変換を行う回路は、
変換先の周波数を設定する第２の周波数設定回路、
該第２の周波数設定回路での周波数の設定に基づいて第２の可変局部発振回路の周波数を制御するための第２の制御信号を発生する第２の周波数制御回路、
該第２の周波数制御回路からの前記第２の制御信号を受信して当該回路の出力信号（第２の局部発振信号）を第２のミキサ回路に供給して周波数変換を行わせるための前記第２の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第２の局部発振信号に基づいて周波数変換が行われる前記第２のミキサ回路、および
該第２のミキサ回路の出力信号が供給される第１の帯域通過フィルタ
を具えて構成したことを特徴とする放送波受信と無線ＬＡＮまたは無線アクセスによるインターネット接続サービスの送受信とを両立させたアンテナ装置。
【請求項６】
請求項５記載のアンテナ装置において、
前記第１、第２の周波数設定回路、前記第１、第２の周波数制御回路、および前記第１、第２の可変局部発振回路は、前記第２の外部調整回路および前記第２の室内調整回路のいずれにおいても、無線ＬＡＮまたは無線アクセスによるインターネット接続サービスの受信、送信の２系統でそれぞれ１つの回路が共用され得ることを特徴とする放送波受信と無線ＬＡＮまたは無線アクセスによるインターネット接続サービスの送受信とを両立させたアンテナ装置。
【請求項７】
請求項２乃至４のいずれか１項記載のアンテナ装置において、
前記第２（第２の外部調整回路の受信）および第５（第２の室内調整回路の送信）の周波数変換を行う回路は、
変換先の周波数を設定する第３の周波数設定回路、
該第３の周波数設定回路での周波数の設定に基づいて設定符号を生成する第１の設定符号生成回路、
該第１の設定符号生成回路で生成した設定符号が供給され、第１の無線ＬＡＮ信号及び設定符号多重／分離回路を介して第２の設定符号通信回路との間で設定符号の授受を行う第１の設定符号通信回路、
該第１の設定符号通信回路から供給された設定符号を、無線ＬＡＮまたは無線アクセスによるインターネット接続サービスの受信信号に多重するとともに、第２の設定符号生成回路で生成された設定符号を無線ＬＡＮまたは無線アクセスによるインターネット接続サービスの送信電波を生成するための信号から分離する前記第１の無線ＬＡＮ信号及び設定符号多重／分離回路、
前記第１の設定符号通信回路から供給された設定符号を周波数制御情報に変換する第１のルックアップテーブル、
該第１のルックアップテーブルによる周波数の設定に基づいて第１の可変局部発振回路と、可変帯域通過フィルタを具えているときには該可変帯域通過フィルタの各周波数を制御するための第１の制御信号を発生する第１の周波数制御回路、
該第１の周波数制御回路からの前記第１の制御信号を受信して当該回路の出力信号（第１の局部発振信号）を第１のミキサ回路に供給して周波数変換を行わせるための前記第１の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第１の局部発振信号に基づいて周波数変換が行われる前記第１のミキサ回路、および
該第１のミキサ回路の出力信号が供給されるとともに、通過帯域が前記第１の周波数制御回路からの前記第１の制御信号によって制御される前記可変帯域通過フィルタ、または前記第１のミキサ回路の出力信号が供給される低域通過フィルタ
を具えて構成し、そして
前記第４（第２の室内調整回路の受信）および第３（第２の外部調整回路の送信）の周波数変換を行う回路は、
変換先の周波数を設定する第４の周波数設定回路、
該第４の周波数設定回路での周波数の設定に基づいて設定符号を生成する第２の設定符号生成回路、
該第２の設定符号生成回路で生成した設定符号が供給され、第１の無線ＬＡＮ信号及び設定符号分離／多重回路を介して前記第１の設定符号通信回路との間で設定符号の授受を行う第２の設定符号通信回路、
前記第１の設定符号生成回路で生成された設定符号を、無線ＬＡＮまたは無線アクセスによるインターネット接続サービスの受信信号から分離するとともに、前記第２の設定符号通信回路から供給された設定符号を無線ＬＡＮまたは無線アクセスによるインターネット接続サービスの送信電波を生成するための信号に多重する前記第１の無線ＬＡＮ信号及び設定符号分離／多重回路、
前記第２の設定符号通信回路から供給された設定符号を周波数制御情報に変換する第２のルックアップテーブル
該第２のルックアップテーブルによる周波数の設定に基づいて第２の可変局部発振回路の周波数を制御するための第２の制御信号を発生する第２の周波数制御回路、
該第２の周波数制御回路からの前記第２の制御信号を受信して当該回路の出力信号（第２の局部発振信号）を第２のミキサ回路に供給して周波数変換を行わせるための前記第２の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第２の局部発振信号に基づいて周波数変換が行われる前記第２のミキサ回路、および
該第２のミキサ回路の出力信号が供給される第１の帯域通過フィルタ
を具えて構成したことを特徴とする放送波受信と無線ＬＡＮまたは無線アクセスによるインターネット接続サービスの送受信とを両立させたアンテナ装置。
【請求項８】
請求項７記載のアンテナ装置において、
前記第３、第４の周波数設定回路、前記第１、第２の設定符号生成回路、前記第１、第２の設定符号通信回路、前記第１、第２のルックアップテーブル、前記第１、第２の周波数制御回路、および前記第１、第２の可変局部発振回路は、前記第２の外部調整回路および前記第２の室内調整回路のいずれにおいても、無線ＬＡＮまたは無線アクセスによるインターネット接続サービスの受信、送信の２系統でそれぞれ１つの回路が共用され得ることを特徴とする放送波受信と無線ＬＡＮまたは無線アクセスによるインターネット接続サービスの送受信とを両立させたアンテナ装置。
【請求項９】
請求項７または８記載のアンテナ装置において、
前記第１の外部調整回路は、
衛星放送波または地上放送波を自動的に検出する放送波自動検出回路、
該放送波自動検出回路により検出した衛星放送波または地上放送波の周波数を表す放送波情報信号を生成する放送波情報信号生成回路、および
該放送波情報信号生成回路で生成した放送波情報信号を前記第２の外部調整回路中の前記第２の周波数変換を行う回路に伝達する放送波情報信号伝達回路
を具え、前記第２の外部調整回路中の前記第２の周波数変換を行う回路において、前記第１のルックアップテーブルにより指定するのに最も適した中間周波数帯を無線ＬＡＮまたは無線アクセスによるインターネット接続サービスの受信信号の変換先の周波数として指定するように構成したことを特徴とする放送波受信と無線ＬＡＮまたは無線アクセスによるインターネット接続サービスの送受信とを両立させたアンテナ装置。
【請求項１０】
請求項７または８記載のアンテナ装置において、
前記第２（第２の外部調整回路の受信）の周波数変換を行う回路中の
前記第１のルックアップテーブル、前記第１の周波数制御回路および前記第１の可変局部発振回路を第１の局部発振回路に置き換え、
そして、
前記第３（第２の外部調整回路の送信）の周波数変換を行う回路中の
前記第２のルックアップテーブル、前記第２の周波数制御回路および前記第２の可変局部発振回路を第２の局部発振回路に置き換え
て構成したことを特徴とする放送波受信と無線ＬＡＮまたは無線アクセスによるインターネット接続サービスの送受信とを両立させたアンテナ装置。
【請求項１１】
請求項５乃至１０のいずれか１項記載のアンテナ装置において、
前記第１の可変局部発振回路からなる部分を、複数の異なる周波数の第３の局部発振回路と該第３の局部発振回路を切り換えて使用するための第１の切換器とからなる構成に、および／または
前記の可変帯域通過フィルタからなる部分を、複数の異なる周波数の第２の帯域通過フィルタと該第２の帯域通過フィルタを切り換えて使用するための第２の切換器とからなる構成に、および／または
前記第２の可変局部発振回路からなる部分を、複数の異なる周波数の第４の局部発振回路と該第４の局部発振回路を切り換えて使用するための第３の切換器とからなる構成に
それぞれ置き換えて構成したことを特徴とする放送波受信と無線ＬＡＮまたは無線アクセスによるインターネット接続サービスの送受信とを両立させたアンテナ装置。
【発明の詳細な説明】
【０００１】
【発明の属する技術分野】
本発明は、放送波受信とインターネットなどの通信サービスを利用する際に用いるアンテナ装置に係り、特に、家庭で衛星放送波または地上放送波と無線ローカルエリアネットワーク（以下、無線ＬＡＮと記す）または無線アクセスによるインターネット接続サービスとを利用する場合において、これら両サービスを一層簡便に利用できるようにした放送波受信と無線ＬＡＮまたは無線アクセスによるインターネット接続サービスの送受信とを両立させたアンテナ装置に関する。
【０００２】
【従来の技術】
現在、日本のほぼ全世帯をカバーする地上アナログ放送サービスに加え、放送衛星（ＢＳ）や通信衛星（ＣＳ）を利用したアナログ放送サービスやデジタル放送サービスが行われている。特に、衛星アナログ放送サービスは、日本全国の３分の１以上の世帯で受信されている。また、地上デジタル放送サービスが間もなく開始され、さらに将来に向けては、よりブロードバンドのサービスが可能な２１ＧＨｚ  帯を利用した衛星放送サービスも検討されている。
【０００３】
一方、インターネットの普及とブロードバンド化の進展により、２．４ＧＨｚ  帯や５ＧＨｚ  帯を利用した無線によるネットワークを利用したサービスも行われている。また、２２ＧＨｚ  ，２６ＧＨｚ  ，３８ＧＨｚ  といった周波数帯を利用した固定ワイヤレスアクセス（ＦＷＡ）もサービスされている。そして、将来にわたっては、ミリ波帯を用いた無線ＬＡＮや無線アクセスネットワークも実現が期待されている。
【０００４】
放送と通信の融合により、衛星放送波や地上放送波を通じてソフトウェア、ファイルなど放送番組以外の情報の伝達が可能となっている。また、ストリーミングや番組のダウンロードにより、放送番組がインターネットを通じて視聴されるようにもなっている。
【０００５】
そのような折り、家庭内情報化に向けて、放送・通信すべての信号を１つの宅内情報ボックスに集約することが検討されている。そこでは、ＩＥＥＥ１３９４上で、映像信号とインターネットの両方を扱うことが考えられている（例えば、非特許文献１参照）。
【０００６】
しかしながら、衛星放送波や地上放送波の受信アンテナと無線ＬＡＮ、無線アクセスといったネットワーク接続用のアンテナとは、個別に設置されている。また、衛星放送用としてはパラボラアンテナ、地上放送用としては八木アンテナがそれぞれ使われている。特に、ＢＳデジタル放送で行われる双方向サービスでは、ＢＳデジタル放送受信機に電話線をつないで上り回線として使っている。
【０００７】
地上放送のテレビ信号は、個別の周波数をもつ放送波（６ＭＨｚ  帯域）として各放送局のアンテナから個別に放射される。そして、家庭のアンテナで受信される際に，ＶＨＦ帯，ＵＨＦ帯各々の帯域ごとに周波数多重される。また、衛星放送のテレビ信号は  個別の周波数をもつ放送波（２７ＭＨｚ  帯域）が衛星のアンテナから送信される際に混合され、周波数多重波として地上へ放射される。
【０００８】
テレビ放送波（テレビ信号）は、ＶＨＦ帯、ＵＨＦ帯、衛星放送波帯とそれぞれ個別のアンテナで、個別に受信されている。しかしながら、これらのテレビ信号はすべて７５オームのインピーダンスを用いて伝送されている（ＣＳは元来５０オームであるが、ＣＳ放送のコンバータの場合、そのＩＦ信号は７５オームで出力する）ので、Ｖ／Ｕ／ＢＳ混合器を用いた周波数多重により、１本の同軸ケーブルのみで屋外から屋内に引き込まれている。このようなテレビ放送波同士の周波数多重、ならびにＢＳコンバータやＣＳコンバータなど電源を必要とする回路に電源を供給する手段は，公知である（例えば、特許文献１参照）。
その結果、テレビ放送波は、家庭でさらに広帯域な周波数多重波となる。
【０００９】
一方、同軸ケーブルには、伝送損失、伝送遅延、位相変動などの周波数特性があり、広帯域な信号の伝送には制限がある。
ケーブルテレビの伝送では  幹線系に光ファイバを利用していない時代に伝送帯域が同軸ケーブルの伝送帯域の制限を受けていたため、ＵＨＦ帯の信号をＶＨＦ帯の未使用チャンネル、あるいはＶＨＦ帯とＵＨＦ帯の中間の周波数帯に周波数変換して、４７０ＭＨｚ  以下の帯域にすべての信号を多重している。
【００１０】
さらに、ＢＳと広帯域ＣＳの両方の放送サービスを受信すると、ＣＳによる衛星デジタル放送の中間周波数帯（ＣＳ−ＩＦ）は２．０７１ＧＨｚ  まで必要となっている。さらに、広帯域ＣＳ放送の右旋波と左旋波の両波の受信までを考慮すると、ＣＳ−ＩＦ信号の一部を周波数変換し、２．６０２ＧＨｚ  までの帯域を使用する（特許文献２、ならびにＡＲＩＢ  ＳＴＤ−Ｂ２１規格参照）。
今後、新しい信号を多重するためには、周波数帯に空いているところを探して多重する技術が必要である。
【００１１】
これに対し、無線ＬＡＮ（以下、無線ＬＡＮというときには、無線アクセスも含まれているものとして説明する）のシステムでは、ダイポールアンテナまたは平面アンテナを経て信号が送受信されるが、通信系で設計されているため、インピーダンスは５０オームである。
【００１２】
また、無線ＬＡＮの信号は、例えば、ＩＥＥＥ８０２．１１ｂ  規格の場合には、５．５ＭＨｚ  の帯域の信号が２．４ＧＨｚ  帯（２．４００〜２．４８３５ＧＨｚ  ，２．４７１〜２．４９７ＧＨｚ  ）で送受信される。また、ＩＥＥＥ８０２．１１ａ  規格（または、ＨｉＳＷＡＮａ  ：ＡＲＩＢ  ＳＴＤ−Ｔ７０規格）の場合には、１６．６ＭＨｚ  帯域のＬＡＮ信号が５ＧＨｚ  帯（屋内：５．１７０ＧＨｚ  ；５．１９０ＧＨｚ  ；５．２１０ＧＨｚ  ；５．２３０ＧＨｚ  ，屋外：４．９２０ＧＨｚ  ；４．９４０ＧＨｚ  ；４．９６０ＧＨｚ  ；４．９８０ＧＨｚ  ；５．０４０ＧＨｚ  ；５．０６０ＧＨｚ  ；５．０８０ＧＨｚ  ）で送受信される。従って、前述の広帯域ＣＳ放送を受信する場合には、ＣＳ−ＩＦ信号の周波数帯と２．４ＧＨｚ  帯の無線ＬＡＮ信号は、周波数帯が重なることになる。
【００１３】
【特許文献１】
特開２００１−１１９３１４号公報
【特許文献２】
特開２０００−１７７３４４号公報
【非特許文献１】
セミナー資料「ＩＴ時代の家庭内情報化〜ホームネットワークはこうなる〜」、映像情報メディア学会ホームサーバー型映像システム研究会、宅内情報通信・放送高度化フォーラム共催、２００２年８月３０日
【００１４】
【発明が解決しようとする課題】
各家庭で戸別に衛星放送波または地上放送波を受信し、無線ＬＡＮ、無線アクセスによるインターネット接続サービスを利用する場合において、衛星放送波または地上放送波の受信用アンテナの設置と上記の無線ネットワーク接続用アンテナの設置とは簡便であることが望ましい。
【００１５】
しかしながら、従来の技術においては，上述したように、各々のアンテナが別々に設置され、ケーブルも個別に引かれており、これでは、特に、建物の内外を結ぶ際に不便である。
【００１６】
特に、衛星または地上のデジタル放送サービスの上り回線（例えば、視聴者参加番組における回答などを放送局に送る回線）やインターネットサービスには、電話線や携帯電話あるいはＰＨＳなどが使用されており、建物の内外における回線が煩雑である。また、無線ＬＡＮ等の無線ネットワーク接続サービスを屋内で利用する場合には、無線ＬＡＮのインターフェースを有するパソコンのほか、別途再送信用の無線ＬＡＮルータなどのユニットが必要になる。
【００１７】
一方、無線ＬＡＮのＲＦ信号（高周波信号）は、ＩＥＥＥ８０２．１１ｂ  規格では２．４ＧＨｚ  、ＩＥＥＥ８０２．１１ａ  規格では５ＧＨｚ  であり、ＢＳ−ＩＦ信号（衛星放送受信用の中間周波数信号で１．１ＧＨｚ  〜１．３ＧＨｚ  ）と比較して高い周波数帯を利用している。ＲＦ信号の受信品質は、その信号を伝送する同軸ケーブルの伝搬特性に依存して劣化し、例えば、ＢＳ−ＩＦ信号を伝送できるものとそうでないものとで伝送可能な信号帯域、および信号減衰量が異なる。ブースタ、混合器、合分配器なども現在使用されている放送信号の帯域で設計されており、使用できる周波数帯域に制限がある。また、放送サービスを受信する地域により放送波の周波数が異なっている。
【００１８】
そこで、家庭で放送波受信と無線ＬＡＮまたは無線アクセスによるインターネット接続サービスとを利用するために必要なアンテナの設置を簡便化するとともに、衛星または地上のデジタル放送を視聴する場合にも、デジタル放送受信機と電話線など上り回線との接続を不要にし、さらに、テレビの双方向サービス享受やテレビ受信機からのインターネット接続を容易にするために、放送サービスのＲＦ信号と無線ＬＡＮ等の無線ネットワーク接続サービスのＲＦ信号とを１本の同軸ケーブルに周波数多重して伝送することが考えられる。
【００１９】
しかしながら，放送波受信と無線ＬＡＮまたは無線アクセスによるインターネット接続サービスの両サービスのＲＦ信号伝送に使用されるケーブルのインピーダンスは，放送では７５オーム、無線ＬＡＮなど通信では５０オームと異なっていて、両ＲＦ信号の多重に際し、使用する同軸ケーブルに合わせて必要なインピーダンス変換を行う必要がある。さらに，無線ＬＡＮなどのＲＦ信号を放送波信号の伝送に使用される同軸ケーブルで伝送するためには、より低い周波数帯で伝送する必要がある。
【００２０】
また、インピーダンスの違い以外で実現性が困難とされる要因として、
１．放送用の信号と無線ＬＡＮや無線アクセス信号は、いずれも広帯域な信号である、
２．同軸ケーブルの伝送帯域には、位相特性、減衰特性などのため、使用できる帯域に制限がある、
３．屋外から屋内に特性の良い同軸ケーブルを導入している場合でも、無線ＬＡＮや無線アクセス信号の信号が、周波数的に放送用のＣＳ−ＩＦ信号と重なることがある、
４．電話線等によらないデジタル放送の上り回線を確保する必要がある
などの問題があり、これらの問題も解決する必要がある。
【００２１】
本発明の目的は、上述した各種問題を解決するとともに、放送のＲＦ信号と無線ＬＡＮまたは無線アクセスによるインターネット接続サービスのＲＦ信号とのインピーダンス変換と、無線ＬＡＮまたは無線アクセス信号の周波数多重先での周波数割当が簡便に行えるようにして、放送のＲＦ信号と無線ＬＡＮまたは無線アクセスによるインターネット接続サービスのＲＦ信号とを１本の同軸ケーブルに周波数多重して伝送することによって、容易に利用できる放送受信環境と無線ＬＡＮまたは無線アクセスによるインターネット接続サービスの利用環境の実現を可能にする放送波受信と無線ＬＡＮまたは無線アクセスによるインターネット接続サービスの送受信とを両立させたアンテナ装置を提供することにある。
【００２２】
【課題を解決するための手段】
上記目的を達成するため、本発明による放送波受信と無線ＬＡＮまたは無線アクセスによるインターネット接続サービスの送受信とを両立させたアンテナ装置は、衛星放送波または地上放送波の受信信号、無線ＬＡＮまたは無線アクセスによるインターネット接続サービスの送信信号、および該インターネット接続サービスの受信信号をそれぞれ周波数多重して、１本の同軸ケーブルを介して外部（屋外）と室内の受け渡しを行うように構成したことを特徴とするものである。
【００２３】
また、本発明による放送波受信と無線ＬＡＮまたは無線アクセスによるインターネット接続サービスの送受信とを両立させたアンテナ装置は、
衛星放送波または地上放送波を受信する受信アンテナ、
該受信アンテナにより受信された衛星放送の受信信号について少なくとも前置増幅と第１の周波数変換を行い、前記受信アンテナにより受信された地上放送の受信信号について少なくともインピーダンス変換を行う第１の外部調整回路、
無線ＬＡＮまたは無線アクセスによるインターネット接続サービスの電波を送受信する送受信アンテナ、
該送受信アンテナにより受信され、サーキュレータまたは分配器を介し、または介さないで供給された無線ＬＡＮまたは無線アクセスによるインターネット接続サービスの受信信号について、少なくとも前置増幅、第２の周波数変換およびインピーダンス変換を行い、また、信号多重／分離回路からサーキュレータまたは分配器を介して供給され、無線ＬＡＮまたは無線アクセスによるインターネット接続サービスの送信電波を生成するための信号について、少なくともインピーダンス変換および第３の周波数変換を行うためのそれぞれ受信、送信の２系統からなる第２の外部調整回路、
前記第１の外部調整回路と前記第２の外部調整回路と１本の同軸ケーブルとに実質的に接続され、前記第１，第２の外部調整回路から供給される衛星放送または地上放送の受信信号と無線ＬＡＮまたは無線アクセスによるインターネット接続サービスの受信信号とを周波数多重して前記１本の同軸ケーブルに供給するとともに、前記１本の同軸ケーブルから当該回路に伝送され、無線ＬＡＮまたは無線アクセスによるインターネット接続サービスの送信電波を生成するための信号を分離して第２の外部調整回路に供給する前記信号多重／分離回路、
該信号多重／分離回路と信号分離／多重回路とを接続する前記１本の同軸ケーブル、
該１本の同軸ケーブルと第１の室内調整回路、または衛星放送または地上放送の受信機と第２の室内調整回路とに実質的に接続され、前記１本の同軸ケーブルから当該回路に伝送される衛星放送または地上放送の受信信号と無線ＬＡＮまたは無線アクセスによるインターネット接続サービスの受信信号とを分離するとともに、前記第２の室内調整回路から供給され、無線ＬＡＮまたは無線アクセスによるインターネット接続サービスの送信電波を生成するための信号を周波数多重する前記信号分離／多重回路、
該信号分離／多重回路から分離された衛星放送または地上放送の受信信号が供給される前記第１の室内調整回路、または前記衛星放送または地上放送受信機、および
前記信号分離／多重回路からサーキュレータまたは分配器を介して供給され、分離された前記無線ＬＡＮまたは無線アクセスによるインターネット接続サービスの受信信号について、少なくともインピーダンス変換および第４の周波数変換を行い、また、前記無線ＬＡＮまたは無線アクセスによるインターネット接続サービスの送信電波を生成するための信号について、少なくとも第５の周波数変換およびインピーダンス変換を行うためのそれぞれ受信、送信の２系統からなる第２の室内調整回路
を具えて構成したことを特徴とするものである。
【００２４】
また、本発明による放送波受信と無線ＬＡＮまたは無線アクセスによるインターネット接続サービスの送受信とを両立させたアンテナ装置は、前記第１の室内調整回路が、該回路に供給された信号の電力レベルの調整および／またはインピーダンス整合を行う機能を有していることを特徴とするものである。
【００２５】
また、本発明による放送波受信と無線ＬＡＮまたは無線アクセスによるインターネット接続サービスの送受信とを両立させたアンテナ装置は、衛星放送の受信に使用する前記第１の外部調整回路が、ＢＳコンバータまたはＣＳコンバータであることを特徴とするものである。
【００２６】
また、本発明による放送波受信と無線ＬＡＮまたは無線アクセスによるインターネット接続サービスの送受信とを両立させたアンテナ装置は、
前記第２（第２の外部調整回路の受信）および第５（第２の室内調整回路の送信）の周波数変換を行う回路が、
変換先の周波数を設定する第１の周波数設定回路、
該第１の周波数設定回路での周波数の設定に基づいて第１の可変局部発振回路と、可変帯域通過フィルタを具えているときには該可変帯域通過フィルタの各周波数を制御するための第１の制御信号を発生する第１の周波数制御回路、
該第１の周波数制御回路からの前記第１の制御信号を受信して当該回路の出力信号（第１の局部発振信号）を第１のミキサ回路に供給して周波数変換を行わせるための前記第１の可変局部発振回路、
無線ＬＡＮまたは無線アクセスによるインターネット接続サービスの受信信号、または無線ＬＡＮまたは無線アクセスによるインターネット接続サービスの送信電波を生成するための信号が供給され、前記第１の局部発振信号に基づいて周波数変換が行われる前記第１のミキサ回路、および
該第１のミキサ回路の出力信号が供給されるとともに、通過帯域が前記第１の周波数制御回路からの前記第１の制御信号によって制御される前記可変帯域通過フィルタ、または前記第１のミキサ回路の出力信号が供給される低域通過フィルタ
を具えて構成し、そして
前記第４（第２の室内調整回路の受信）および第３（第２の外部調整回路の送信）の周波数変換を行う回路が、
変換先の周波数を設定する第２の周波数設定回路、
該第２の周波数設定回路での周波数の設定に基づいて第２の可変局部発振回路の周波数を制御するための第２の制御信号を発生する第２の周波数制御回路、
該第２の周波数制御回路からの前記第２の制御信号を受信して当該回路の出力信号（第２の局部発振信号）を第２のミキサ回路に供給して周波数変換を行わせるための前記第２の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第２の局部発振信号に基づいて周波数変換が行われる前記第２のミキサ回路、および
該第２のミキサ回路の出力信号が供給される第１の帯域通過フィルタ
を具えて構成したことを特徴とするものである。
【００２７】
また、本発明による放送波受信と無線ＬＡＮまたは無線アクセスによるインターネット接続サービスの送受信とを両立させたアンテナ装置は、前記第１、第２の周波数設定回路、前記第１、第２の周波数制御回路、および前記第１、第２の可変局部発振回路が、前記第２の外部調整回路および前記第２の室内調整回路のいずれにおいても、無線ＬＡＮまたは無線アクセスによるインターネット接続サービスの受信、送信の２系統でそれぞれ１つの回路が共用され得ることを特徴とするものである。
【００２８】
また、本発明による放送波受信と無線ＬＡＮまたは無線アクセスによるインターネット接続サービスの送受信とを両立させたアンテナ装置は、
前記第２（第２の外部調整回路の受信）および第５（第２の室内調整回路の送信）の周波数変換を行う回路が、
変換先の周波数を設定する第３の周波数設定回路、
該第３の周波数設定回路での周波数の設定に基づいて設定符号を生成する第１の設定符号生成回路、
該第１の設定符号生成回路で生成した設定符号が供給され、第１の無線ＬＡＮ信号及び設定符号多重／分離回路を介して第２の設定符号通信回路との間で設定符号の授受を行う第１の設定符号通信回路、
該第１の設定符号通信回路から供給された設定符号を、無線ＬＡＮまたは無線アクセスによるインターネット接続サービスの受信信号に多重するとともに、第２の設定符号生成回路で生成された設定符号を無線ＬＡＮまたは無線アクセスによるインターネット接続サービスの送信電波を生成するための信号から分離する前記第１の無線ＬＡＮ信号及び設定符号多重／分離回路、
前記第１の設定符号通信回路から供給された設定符号を周波数制御情報に変換する第１のルックアップテーブル、
該第１のルックアップテーブルによる周波数の設定に基づいて第１の可変局部発振回路と、可変帯域通過フィルタを具えているときには該可変帯域通過フィルタの各周波数を制御するための第１の制御信号を発生する第１の周波数制御回路、
該第１の周波数制御回路からの前記第１の制御信号を受信して当該回路の出力信号（第１の局部発振信号）を第１のミキサ回路に供給して周波数変換を行わせるための前記第１の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第１の局部発振信号に基づいて周波数変換が行われる前記第１のミキサ回路、および
該第１のミキサ回路の出力信号が供給されるとともに、通過帯域が前記第１の周波数制御回路からの前記第１の制御信号によって制御される前記可変帯域通過フィルタ、または前記第１のミキサ回路の出力信号が供給される低域通過フィルタ
を具えて構成し、そして
前記第４（第２の室内調整回路の受信）および第３（第２の外部調整回路の送信）の周波数変換を行う回路が、
変換先の周波数を設定する第４の周波数設定回路、
該第４の周波数設定回路での周波数の設定に基づいて設定符号を生成する第２の設定符号生成回路、
該第２の設定符号生成回路で生成した設定符号が供給され、第１の無線ＬＡＮ信号及び設定符号分離／多重回路を介して前記第１の設定符号通信回路との間で設定符号の授受を行う第２の設定符号通信回路、
前記第１の設定符号生成回路で生成された設定符号を、無線ＬＡＮまたは無線アクセスによるインターネット接続サービスの受信信号から分離するとともに、前記第２の設定符号通信回路から供給された設定符号を無線ＬＡＮまたは無線アクセスによるインターネット接続サービスの送信電波を生成するための信号に多重する前記第１の無線ＬＡＮ信号及び設定符号分離／多重回路、
前記第２の設定符号通信回路から供給された設定符号を周波数制御情報に変換する第２のルックアップテーブル
該第２のルックアップテーブルによる周波数の設定に基づいて第２の可変局部発振回路の周波数を制御するための第２の制御信号を発生する第２の周波数制御回路、
該第２の周波数制御回路からの前記第２の制御信号を受信して当該回路の出力信号（第２の局部発振信号）を第２のミキサ回路に供給して周波数変換を行わせるための前記第２の可変局部発振回路、
無線ＬＡＮまたは無線アクセスによるインターネット接続サービスの受信信号または無線ＬＡＮまたは無線アクセスによるインターネット接続サービスの送信電波を生成するための信号が供給され、前記第２の局部発振信号に基づいて周波数変換が行われる前記第２のミキサ回路、および
該第２のミキサ回路の出力信号が供給される第１の帯域通過フィルタ
を具えて構成したことを特徴とするものである。
【００２９】
また、本発明による放送波受信と無線ＬＡＮまたは無線アクセスによるインターネット接続サービスの送受信とを両立させたアンテナ装置は、前記第３、第４の周波数設定回路、前記第１、第２の設定符号生成回路、前記第１、第２の設定符号通信回路、前記第１、第２のルックアップテーブル、前記第１、第２の周波数制御回路、および前記第１、第２の可変局部発振回路が、前記第２の外部調整回路および前記第２の室内調整回路のいずれにおいても、無線ＬＡＮまたは無線アクセスによるインターネット接続サービスの受信、送信の２系統でそれぞれ１つの回路が共用され得ることを特徴とするものである。
【００３０】
また、本発明による放送波受信と無線ＬＡＮまたは無線アクセスによるインターネット接続サービスの送受信とを両立させたアンテナ装置は、
前記第１の外部調整回路が、
衛星放送波または地上放送波を自動的に検出する放送波自動検出回路、
該放送波自動検出回路により検出した衛星放送波または地上放送波の周波数を表す放送波情報信号を生成する放送波情報信号生成回路、および
該放送波情報信号生成回路で生成した放送波情報信号を前記第２の外部調整回路中の前記第２の周波数変換を行う回路に伝達する放送波情報信号伝達回路
を具え、前記第２の外部調整回路中の前記第２の周波数変換を行う回路において、前記第１のルックアップテーブルにより指定するのに最も適した中間周波数帯を無線ＬＡＮまたは無線アクセスによるインターネット接続サービスの受信信号の変換先の周波数として指定するように構成したことを特徴とするものである。
【００３１】
また、本発明による放送波受信と無線ＬＡＮまたは無線アクセスによるインターネット接続サービスの送受信とを両立させたアンテナ装置は、
前記第２（第２の外部調整回路の受信）の周波数変換を行う回路中の
前記第１のルックアップテーブル、前記第１の周波数制御回路および前記第１の可変局部発振回路を第１の局部発振回路に置き換え、
そして、
前記第３（第２の外部調整回路の送信）の周波数変換を行う回路中の
前記第２のルックアップテーブル、前記第２の周波数制御回路および前記第２の可変局部発振回路を第２の局部発振回路に置き換え
て構成したことを特徴とするものである。
【００３２】
また、本発明による放送波受信と無線ＬＡＮまたは無線アクセスによるインターネット接続サービスの送受信とを両立させたアンテナ装置は、
前記第１の可変局部発振回路からなる部分を、複数の異なる周波数の第３の局部発振回路と該第３の局部発振回路を切り換えて使用するための第１の切換器とからなる構成に、および／または
前記の可変帯域通過フィルタからなる部分を、複数の異なる周波数の第２の帯域通過フィルタと該第２の帯域通過フィルタを切り換えて使用するための第２の切換器とからなる構成に、および／または
前記第２の可変局部発振回路からなる部分を、複数の異なる周波数の第４の局部発振回路と該第４の局部発振回路を切り換えて使用するための第３の切換器とからなる構成に
それぞれ置き換えて構成したことを特徴とするものである。
【００３３】
【発明の実施の形態】
以下に添付図面を参照し、発明の実視の形態に基づいて本発明を詳細に説明する。
図１（ａ）乃至（ｃ）は、本発明による放送波受信と無線ＬＡＮまたは無線アクセスによるインターネット接続サービスの送受信とを両立させたアンテナ装置の一実施形態を概念図にて示している。
図１において、１は衛星放送アンテナ、２は無線ＬＡＮアンテナ、３は地上放送アンテナ、４は無線ＬＡＮの基地局、５は建物、６は衛星局、７は衛星放送受信機、８−１，８−２はパソコン、９−１は無線ＬＡＮカード、９−２は無線ＬＡＮアンテナ、および１０は同軸ケーブルである。
【００３４】
各構成要素間の関係および動作につき説明する。
まず、図１（ａ）において、衛星放送波受信用の衛星放送アンテナ１の反射器の上部にスペースダイバーシティ・ダイポールアンテナによる無線ＬＡＮアンテナ２が取り付けられている。衛星放送アンテナ１の方位角はアンテナの取り付けポールを回して調整し、仰角は付属の微調整機構で調整する。一方、無線ＬＡＮアンテナ２の方位角はダイバーシティ利得が最大となるように調整し、仰角は衛星放送アンテナ１の仰角調整によらず固定されている。また、図１（ａ）に示すアンテナ装置は、無線ＬＡＮの基地局（図１（ｃ）に符号４で示している）が臨める建物（図１（ｃ）に符号５で示している）の屋上や壁面、またはベランダの手摺りなどに取り付けられている。
【００３５】
これら衛星放送アンテナ１と無線ＬＡＮアンテナ２の取り付けにあたっては、まず、衛星放送波が受信できるように衛星放送アンテナ１を調整して取り付ける。次に、無線ＬＡＮアンテナ２は、この状態でその方位角を微調整する。以上によれば、例えば、１２ＧＨｚ  帯の衛星放送サービスと、２．４ＧＨｚ  帯のＩＥＥＥ８０２．１１ｂ  規格の無線ＬＡＮによるインターネット接続サービスとを利用するためのアンテナの設置を簡便に行うことができる。
【００３６】
なお，衛星放送アンテナ１は、図示のオフセットパラボラアンテナのほか、放射素子としてパッチアンテナをアレー化した平面アンテナとすることもできる。同様に，無線ＬＡＮアンテナ２も、別の種類のアンテナ、例えば、１素子のダイポールアンテナや平面アンテナを使用することができる。１素子のダイポールアンテナの場合には、衛星放送アンテナ１にほぼ完全に固定されたものでよい。無線ＬＡＮアンテナ２が平面アンテナ、パラボラアンテナまたはホーンアンテナのような指向性アンテナの場合には、方位角、仰角ともに基地局４に対してアンテナの指向性が向くように調整される必要がある。
なお、衛星放送アンテナ１は受信用に限られるが、無線ＬＡＮアンテナ２は送受ともに供されるものである。
【００３７】
なお、無線ＬＡＮ等の無線ネットワークの種類や電波の周波数は、地域の事情に応じて選べるものとする。これらには、従来技術の項で述べたように、例えば、５ＧＨｚ  帯のＩＥＥＥ８０２．１１ａ  規格の無線ＬＡＮや、準ミリ波帯（２２ＧＨｚ  など）ＦＷＡが想定される。
【００３８】
次に、図１（ｂ）においては、地上放送波受信用の、例えば、八木アンテナなど地上放送アンテナ３の上部にスペースダイバーシティ・ダイポールアンテナによる無線ＬＡＮアンテナ２が取り付けられている。地上放送アンテナ３としては、ＶＨＦ用、ＵＨＦ用または両者の組合せが想定される。この場合の無線ＬＡＮアンテナ２も、衛星放送アンテナ１との組み合わせ時（図１（ａ）参照）と同様、平面アンテナなど他の種類のアンテナの使用が想定される。
【００３９】
このほか、可能性の高い実施形態として、図１（ａ）と図１（ｂ）の組合せ、すなわち、衛星放送アンテナ１と地上放送アンテナ３と、さらに無線ＬＡＮアンテナ２の３種類のアンテナの組合せが想定される。
【００４０】
図１（ｃ）は、図１（ａ）に示したアンテナを戸建ての住宅に適用した場合を示している。
図１（ｃ）においては、建物５の屋根の上に衛星放送アンテナ１と無線ＬＡＮアンテナ２とを一体化したアンテナ（図１（ａ）に示すアンテナ）が設置され、衛星局６と無線ＬＡＮの基地局４からの電波を受信している（無線ＬＡＮアンテナ２は送信も行う）。受信した２系統の電波は、従来から衛星放送受信用として設置されている同軸ケーブル１０に周波数多重されて屋内に引き込まれ、屋内の衛星放送受信機７やパソコン８−１に接続されている。
【００４１】
また、パソコン８−２のように、無線ＬＡＮのインターフェースカード（無線ＬＡＮカード）９−１が装着されている場合、パソコン８−２は、室内での無線ＬＡＮの利用となるが、無線ＬＡＮルータ１６（図２参照）を無線ＬＡＮアンテナ９−２に置き換えるのみで使用可能となる。
【００４２】
図２は、本発明による放送波受信と無線ＬＡＮまたは無線アクセスによるインターネット接続サービスの送受信とを両立させたアンテナ装置の一実施形態をブロック図にて示している。
図２において、１１はアンテナ調整治具、１２−１，１２−２は外部調整回路、１３は信号多重／分離回路、１４は信号分離／多重回路、１５−１，１５−２は室内調整回路、および１６は無線ＬＡＮルータである。
なお、上記以外の構成要素で、図１に示す構成要素と同じ構成要素には、図１におけると同じ符号を付して示している。
【００４３】
また、図２において、無線ＬＡＮの基地局４と電波のやりとりをする無線ＬＡＮアンテナ２は、アンテナ調整冶具１１によって衛星放送アンテナ１に取り付けられている。
【００４４】
動作につき説明する。
衛星局６から送信され、衛星放送アンテナ１で受信された信号は外部調整回路１２−１に供給されて前置増幅、ＢＳ−ＩＦ信号への周波数変換が行われ、次段の信号多重／分離回路１３に供給される。また、基地局４から送信され、無線ＬＡＮアンテナ２で受信された無線ＬＡＮの受信信号は、図示されないサーキュレータまたは分配器を介して外部調整回路１２−２に供給され、前置増幅、同軸ケーブル伝送に適当な中間周波数帯、例えば、９００ＭＨｚ  への周波数変換およびインピーダンス整合（インピーダンス変換を含む）が行われ、次段の信号多重／分離回路１３に供給される。
なお、外部調整回路１２−１としては、例えば、ＢＳコンバータやＣＳコンバータを使用することができる。
【００４５】
信号多重／分離回路１３においては、衛星放送のＢＳ−ＩＦ信号と無線ＬＡＮの周波数変換された受信信号とが周波数多重され、同軸ケーブル１０を介して屋内に引き込まれる。引き込まれた信号は信号分離／多重回路１４に供給され、再び衛星放送のＢＳ−ＩＦ信号と無線ＬＡＮの周波数変換された信号とに周波数分離される。分離された一方の信号であるＢＳ−ＩＦ信号は、室内調整回路１５−１に供給されて電力レベルが調整されるとともに、インピーダンス整合されて後、衛星放送受信機７に供給され、選局復調されてテレビ番組が視聴される。
また、ＢＳ−ＩＦ信号の電力レベルやインピーダンス整合が衛星放送受信機７の入力条件に合う環境にある場合には、室内調整回路１５−１を省略して信号分離／多重回路１４からのＢＳ−ＩＦ信号を衛星放送受信機７に直接供給するようにしてもよい。
【００４６】
信号分離／多重回路１４で分離された他方の信号である無線ＬＡＮの周波数変換された受信信号は、図示されないサーキュレータまたは分配器を介して室内調整回路１５−２に供給され、次段の無線ＬＡＮルータ１６のアンテナ入力端で要求される周波数に戻され（周波数変換）、電力レベルの調整、インピーダンス整合（インピーダンス変換を含む）が行われた後、無線ＬＡＮルータ１６を介してパソコン８−１（図１（ｃ）参照）に供給される。
【００４７】
以上の説明は、衛星放送も無線ＬＡＮもその両方について受信信号についてのみの説明であるが、実際には、無線ＬＡＮは送信も行うので、簡単に説明する。パソコン８−１から出力される信号は無線ＬＡＮルータ１６に供給され、上記とは逆の経路、すなわち、室内調整回路１５−２、信号分離／多重回路１４、同軸ケーブル１０、信号多重／分離回路１３、外部調整回路１２−２、および無線ＬＡＮアンテナ２を経て基地局４に伝送される。
そのため、室内調整回路１５−２および外部調整回路１２−２は、それぞれ受信用、送信用の経路を有し、室内調整回路１５−２および外部調整回路１２−２の入出力端にはサーキュレータや分配器が配置され、無線ＬＡＮの受信信号と送信信号がそれぞれの経路を通るようにしている。
【００４８】
また、本発明による放送波受信と無線ＬＡＮまたは無線アクセスによるインターネット接続サービスの送受信とを両立させたアンテナ装置の屋内側の構成要素と変復調機能を含む無線ＬＡＮのインターフェース回路をあらかじめ衛星放送受信機７に内蔵するようにすれば、屋内に引き込まれた１本の同軸ケーブルを介して、衛星放送の受信回線と衛星放送受信機７の上り回線とを同時に確保することができる。
【００４９】
上述例においては，放送波受信アンテナとして衛星放送受信用のパラボラアンテナを用い、無線ＬＡＮ信号の同軸ケーブル１０上での中間周波数を９００ＭＨｚ  としたが、さらに、市販のＢＳ混合器を使用して地上放送の信号を多重することもできる。この場合には、ＢＳ−ＩＦ信号とＶＨＦおよびＵＨＦの地上放送波の信号をＢＳ混合器のそれぞれ決められたポートに入力するものとする。
【００５０】
また、衛星放送受信用のパラボラアンテナに代えて、地上放送受信用の八木アンテナを採用した場合にも，上述の衛星放送受信用パラボラアンテナの場合と同様に考えることができる。ただし、この場合は、地上放送を受信する地域、つまり、ＶＨＦ波のみを受信する地域か、ＶＨＦ波とＵＨＦ波を受信する地域か、あるいはＵＨＦ波のみを受信する地域かによって、無線ＬＡＮの中間周波数帯が変わってくる。さらに、使用する同軸ケーブルの特性や衛星放送のＢＳ−ＩＦ信号と混合するか否かによっても変わってくる。
【００５１】
ＶＨＦ波とＵＨＦ波を受信する地域でＢＳ混合器を使用するか、あるいは同軸ケーブルが古いものである場合には、無線ＬＡＮ信号の同軸ケーブル１０上での中間周波数に、例えば、３００ＭＨｚ  の中間周波数帯が選択される。ＵＨＦ波のみの場合には、ＵＨＦ帯の空きチャンネルに変換される場合もある。
【００５２】
次に、無線ＬＡＮ信号の外部調整回路１２−２および室内調整回路１５−２の詳細について説明する。
図３（ａ），（ｂ）は、図２に示す無線ＬＡＮ信号の外部調整回路１２−２および室内調整回路１５−２の詳細をブロック図にて示している。なお、図３（ａ），（ｂ）それぞれは、受信系統と送信系統の２系統の回路を有しているが、ここでは、説明の簡略化のため受信系統のみを示している。
図３において、１７，２２は前置インピーダンス整合回路、１８，２３は前置増幅回路、１９，２４は周波数変換回路、２０，２６は後置増幅回路、２１，２７は後置インピーダンス整合回路、および２５は可変減衰回路である。
【００５３】
図３（ａ）において、外部調整回路１２−２の周波数変換回路１９は、前置増幅回路１８と後置増幅回路２０の間に挟まれ、さらにそれらは、前置インピーダンス整合回路１７と後置インピーダンス整合回路２１の間に挟まれている。
また、図３（ｂ）において、室内調整回路１５−２の周波数変換回路２４は、実質的に前置増幅回路２３と後置増幅回路２６の間に挟まれ、さらにそれらは、前置インピーダンス整合回路２２と後置インピーダンス整合回路２７の間に挟まれている。なお、室内調整回路１５−２には、電力レベル調整のための可変減衰回路２５が周波数変換回路２４の次段に配置されている。
【００５４】
図４（ａ），（ｂ）は、外部調整回路および室内調整回路中の周波数変換回路の第１の実施形態をブロック図にて示している。
なお、具体的には、図４（ａ）は外部調整回路中で受信と室内調整回路中で送信に使用される周波数変換回路を、また、図４（ｂ）は室内調整回路中で受信と外部調整回路中で送信に使用される周波数変換回路をそれぞれ示している。
図４において、２８，３３はミキサ回路、２９，３４は周波数設定回路、３０，３５は周波数制御回路、３１，３６は可変局部発振回路、３２は可変帯域通過フィルタ、および３７は帯域通過フィルタである。
【００５５】
本実施形態は、衛星放送のＢＳ−ＩＦ信号に多重される無線ＬＡＮ信号の中間周波数を変更できるようにしたものである。いま、無線ＬＡＮ信号がＩＥＥＥ８０２．１１ｂ  規格の信号であるとすると、図４（ａ）に示す周波数変換回路１９において、前置増幅回路１８（図３（ａ）参照）からミキサ回路２８へ供給された無線ＬＡＮ信号は、無線ＬＡＮアンテナ２（図１（ａ），（ｂ），（ｃ）および図２参照）で受信したときの周波数２．４ＧＨｚ  から中間周波数帯へと変換される。変換先の周波数は、周波数設定回路２９で設定され、設定された周波数は周波数制御回路３０へと伝えられ、制御回路３０の出力信号により可変局部発振回路３１の発振周波数と可変帯域通過フィルタ３２の通過帯域（位相フラットな部分の通過帯域幅は１００ＭＨｚ  程度）の中心周波数が設定される。可変帯域通過フィルタ３２の出力信号は、後置増幅回路２０（図３（ａ）参照）へ送られる。
【００５６】
例えば、いま、変換されるべき中間周波帯を８５０ＭＨｚ  から９５０ＭＨｚ  に設定したとすると、この設定信号により、可変局部発振回路３１の発振周波数は１．５５ＧＨｚ  、可変帯域通過フィルタ３２の通過帯域の中心周波数は８９２ＭＨｚ  に設定される。
【００５７】
また、図４（ａ）において、可変局部発振回路３１を複数の異なる周波数の局部発振回路とそれらを切り換えて使用するための切換器に、また、可変帯域通過フィルタ３２を複数の異なる周波数の帯域通過フィルタとそれらを切り換えて使用するための切換器とからなる構成に置き換えてもよい。
【００５８】
さらにまた、ミキサ回路２８の入力側に帯域通過フィルタを配置するとともに、可変帯域通過フィルタ３２を低域通過フィルタに置き換えた構成にしてもよい。
このような構成にすることにより、高価な可変帯域通過フィルタを使用しないですむので、本発明装置を低コスト化することができる。
この構成は、後述する図５（ａ）の構成にも適用することができる。
【００５９】
また、図４（ｂ）において、前置増幅回路２３（図３（ｂ）参照）からミキサ回路３３に供給され、周波数が変換された無線ＬＡＮ信号は、周波数設定回路３４による周波数の設定を周波数設定回路２９（図４（ａ）参照）におけるのと一致させ、周波数制御回路３５を介して発振させた可変局部発振回路３６の発振周波数を１．５５ＧＨｚ  とすることで、周波数が変換されている無線ＬＡＮ信号はミキサ回路３３にて周波数変換され、帯域通過フィルタ３７を経た後、２．４ＧＨｚ  帯の無線ＬＡＮ信号を回復する。なお、中間周波数帯の設定値は、変更されない限り、電源投入の有無に関わらず保持されているものとする。
【００６０】
また、可変局部発振回路３６を複数の異なる周波数の局部発振回路とそれらを切り換えて使用するための切換器とからなる構成に置き換えてもよい。
この構成も、後述する図５（ｂ）および図６（ｂ）の構成にも適用することができる。
【００６１】
なお、周波数設定回路２９，３４、周波数制御回路３０，３５、および可変局部発振回路３１，３６は、外部調整回路および室内調整回路のいずれにおいても受信、送信の２系統でそれぞれ１つの回路を共用することが可能である。
【００６２】
図５（ａ），（ｂ）は、外部調整回路および室内調整回路中の周波数変換回路の第２の実施形態をブロック図にて示している。
なお、具体的には、図５（ａ）は外部調整回路中で受信と室内調整回路中で送信に使用される周波数変換回路を、また、図５（ｂ）は室内調整回路中で受信と外部調整回路中で送信に使用される周波数変換回路をそれぞれ示している。
本実施形態は、図４で説明した周波数の変換を、外部調整回路１２−２および室内調整回路１５−２（図３参照）のいずれか一方で行うと、他方に対しては自動的に行われるようにしたものである。
【００６３】
図５において、３８，４４は設定符号生成回路、３９，４３は設定符号通信回路、４０は無線ＬＡＮ信号及び設定符号多重／分離回路、４１，４５はルックアップテーブル、および４２は無線ＬＡＮ信号及び設定符号分離／多重回路である。
なお、図５中、図４に示したのと同一の回路要素には、図４におけると同一符号を付して示している。
【００６４】
動作につき説明する。
図５（ａ）に示す周波数変換回路１９において、周波数設定回路２９は変換先の周波数を設定し、その設定した周波数を設定符号生成回路３８に供給する。設定符号生成回路３８は、供給された周波数に対応する中間周波数帯を表す制御情報を符号化信号（設定符号）の形態で出力して設定符号通信回路３９に供給する。
【００６５】
一方、ミキサ回路２８で周波数変換され、可変帯域通過フィルタ３２から出力された無線ＬＡＮ信号は、図示の後置増幅回路２０ならびに図示されないサーキュレータ（または分配器）を介して無線ＬＡＮ信号及び設定符号多重／分離回路４０に供給される。これと同時に、設定符号通信回路３９の出力信号も無線ＬＡＮ信号及び設定符号多重／分離回路４０に供給されて周波数変換された無線ＬＡＮ信号に多重される。このようにして多重された設定符号は、図示されない信号多重／分離回路１３、同軸ケーブルおよび信号分離／多重回路１４（いずれも図２参照）を介して図５（ｂ）に示す周波数変換回路２４の無線ＬＡＮ信号及び設定符号分離／多重回路４２に送られ、同回路にて設定符号が分離されて設定符号通信回路４３に供給される。
【００６６】
以上は、設定符号通信回路３９から設定符号通信回路４３に向けて設定符号が送信されるものとしたが、その逆も可能である。
すなわち、設定符号通信回路４３から設定符号通信回路３９に向けて設定符号が送信されるときには、まず、周波数設定回路３４は、同回路で設定された変換先の周波数を設定符号生成回路４４に供給する。設定符号生成回路４４は、供給された周波数に対応する中間周波数帯を表す設定符号を生成して設定符号通信回路４３に供給する。設定符号通信回路４３から先は、周波数変換されている無線ＬＡＮ信号に無線ＬＡＮ信号及び設定符号分離／多重回路４２で多重され、上記経路を逆に辿って図５（ａ）に示す周波数変換回路１９の無線ＬＡＮ信号及び設定符号多重／分離回路４０に送られる。無線ＬＡＮ信号及び設定符号多重／分離回路４０では、多重されている設定符号が分離取り出され、設定符号通信回路３９に供給される。
【００６７】
中間周波数帯の設定値および直前の設定履歴は，電源の投入の有無に関わらず保持されるものとし、設定符号の送信は電源投入時に前回の設定を行った側から、また、手動による再設定要求時や確認時にはそれら再設定要求や確認を行う側からそれぞれ行うものとする。また、どちらの側であっても、設定符号を受信したときには必ず確認信号を他の側に送り返すものとする（送信側は確認信号が送り返されてこない限り、同じ設定符号の送信を繰り返す）。
【００６８】
設定符号の送信には、設定符号の情報速度が小さいこと、および屋外と室内を結ぶ１本の同軸ケーブルには電源を重畳していることを利用して、数１０ｋＨｚ  から数１００ｋＨｚ  のバースト搬送波に変調して伝送するなど、いわゆるテレビ受信機のリモコン信号のような伝送形態が利用できる。設定符号を受信した設定符号通信回路３９または４３は、確認信号を送り返す一方、受信した設定符号をルックアップテーブル４１または４５にそれぞれ書き込み、その書き込んだ設定符号に対応する周波数制御情報を出力させるようにする。出力した制御情報は周波数制御回路３０または３５に供給され、可変局部発振回路３１と可変帯域通過フィルタ３２、または可変局部発振回路３６を制御する。
【００６９】
図５（ａ），（ｂ）においても、周波数設定回路２９，３４、設定符号生成回路３８，４４、設定符号通信回路３９，４３、ルックアップテーブル４１，４５、周波数制御回路３０，３５、および可変局部発振回路３１，３６は、外部調整回路および室内調整回路のいずれにおいても受信、送信の２系統でそれぞれ１つの回路を共用することが可能である。
【００７０】
図６（ａ），（ｂ）、および図７（ａ），（ｂ）は、図３に示す外部調整回路および室内調整回路中の周波数変換回路の第３の実施形態をブロック図にて示している。
図６（ａ），（ｂ）、および図７（ａ），（ｂ）示す周波数変換回路は、特に、外部調整回路（受信、送信ともに）の変換する無線ＬＡＮ用の中間周波数が固定の場合の実施形態をそれぞれブロック図にて示している。
本実施形態では、図６（ａ）が外部調整回路の受信に、図６（ｂ）が内部調整回路の受信に、図７（ａ）が内部調整回路の送信に、また、図７（ｂ）が外部調整回路の送信に使用される周波数変換回路を示している。
なお、図６，７においては、図５に付した符号をそのまま援用する。
【００７１】
図６（ａ）に示す周波数変換回路は、図５（ａ）に示す周波数変換回路中、ルックアップテーブル４１、周波数制御回路３０および可変局部発振回路３１を局部発振回路３１（固定周波数の）に置き換えたものである。
また、図７（ｂ）に示す周波数変換回路は、図５（ｂ）に示す周波数変換回路中、ルックアップテーブル４５、周波数制御回路３５および可変局部発振回路３６を局部発振回路４６（固定周波数の）に置き換えたものである。
【００７２】
この実施形態がどのような場合に使用されるかについてまず説明する。
いま、例えば、ある衛星放送アンテナの場合であって、無線ＬＡＮ信号の中間周波数として９００ＭＨｚ  帯が設定してあったとする（局部発振回路３１と帯域通過フィルタ３７のそれぞれ対応する周波数は固定されている）と、室内調整回路１５−１も外部調整回路１２−２（いずれも図２参照）の設定に合っている。このとき、衛星放送の受信をやめて、地上放送アンテナを購入したとする。
本実施形態は、このように、新規に購入した地上放送アンテナの無線ＬＡＮ信号の中間周波帯が、３００ＭＨｚ  帯や６００ＭＨｚ  帯のように他の周波数帯であっても対応できるようにしたものである。
【００７３】
図６（ａ），（ｂ）について、動作を説明する。
図６（ａ）に示す周波数変換回路１９（図３（ａ）参照）は、設定符号生成回路３８、設定符号通信回路３９および無線ＬＡＮ信号及び設定符号多重／分離回路４０を具え、図６（ｂ）に示す周波数変換回路２４（図３（ｂ）参照）の設定符号通信回路４３らの要求に従い、設定符号を送信する機能を有するようにしておく。これに対し、周波変換回路２４は，無線ＬＡＮ信号及び設定符号分離／多重回路４２、設定符号通信回路４３、ルックアップテーブル４５、および周波数制御回路３５を具え、電源投入時あるいは手動による再設定要求時に、周波数変換回路１９に対し、設定符号を要求する信号を送信し、要求に応えて受信した設定符号を基に可変局部発振回路３６および可変帯域通過フィルタ３２を制御し、周波変換回路１９の設定に同調させる。
図７（ａ），（ｂ）についても、その動作は上記から理解されよう。
【００７４】
可変局部発振回路を複数の異なる周波数の局部発振回路とそれらを切り換えて使用するための切換器に置き換え可能なことは、図４（ａ）について説明したところであるが、本発明を構成する周波数変換回路においても、可変局部発振回路を複数の異なる周波数の局部発振回路とその局部発振回路を切り換えて使用するための切換器とからなる構成に置き換えてもよい。また、可変帯域通過フィルタも複数の異なる周波数の帯域通過フィルタとその帯域通過フィルタを切り換えて使用するための切換器とからなる構成に置き換えてもよい。
【００７５】
その他、地上放送の場合には、例えば、東京エリアを例にとり説明すると、東京タワーからＶＨＦ帯および５００ＭＨｚ  以下のＵＨＦ帯の放送波が、多摩放送所から５００ＭＨｚ  〜６００ＭＨｚ  のＵＨＦ帯の放送波が、また、八王子放送所から７００ＭＨｚ  〜８００ＭＨｚ  のＵＨＦ帯の放送波がそれぞれ送信されているように、放送サービスを受信する地域により受信される放送波の周波数が異なっている。特に、同軸ケーブルなどの特性の制限により、無線ＬＡＮ信号の中間周波数帯をＶＨＦ帯あるいはＵＨＦ帯の放送波信号帯域内に設定する必要がある場合、サービスの受信者が自ら無線ＬＡＮ信号の中間周波数帯を設定するよりも自動で設定できる方が都合がよい。
以下では、この要求に応えるための本発明の一実施形態を説明する。
【００７６】
図８は、無線ＬＡＮ信号の中間周波数帯を自動設定するための地上放送受信用の外部調整回路１２−１（図２参照）の一実施形態を示している。
図７において、４７はインピーダンス変換回路、４８は前置増幅回路、４９は後置増幅回路、５０は放送波自動検出回路、５１は放送波情報信号生成回路、および５２は放送波情報信号伝達回路である。
【００７７】
本実施形態では、外部調整回路１２−１の前置増幅回路４７の出力を分岐して取り出し、放送波自動検出回路５０に供給して放送波信号を検出する。その検出した信号を放送波情報信号生成回路５１に供給して、無線ＬＡＮ信号を変換すべき周波数帯を表す放送波情報信号を生成させる。生成した放送波情報信号は放送波情報信号伝達回路５２を介して、例えば、図５（ａ）に示す周波数変換回路１９に送られ、同回路内のルックアップテーブル４１により最も適した無線ＬＡＮ信号や無線アクセス信号の中間周波数帯を指定する。
【００７８】
以上の結果、上記東京エリアの例では、多摩地区に対しては７００ＭＨｚ  帯の、八王子地区に対しては５００ＭＨｚ  帯の周波数帯の割り当てが自動的に行われるようになる。この場合、必要に応じ、他地区の放送波を抑える可変帯域除去フィルタを付加するようにしてもよい。
【００７９】
また、本実施形態において、放送波情報信号の周波数変換回路１９への伝達、ならびに周波数変換回路１９から室内調整回路１５−２の周波数変換回路２４（図３（ｂ）参照）への設定符号の送信は、電源投入時および指定期間ごとに、自動的あるいは手動で室内調整回路１５−２からの要求により行われる。
【００８０】
なお、放送波自動検出回路５０の放送波検出の閾値は、無線ＬＡＮ信号に対するレベルで規定し、例えば、−３０ｄＢより大きい放送波周波数を割り出すものとする。ただし、無線ＬＡＮ信号の基地局において送信電力制御が行われる場合には、無線ＬＡＮアンテナのみでなく、無線ＬＡＮ端末の接続機能が付加されており、送信電力が規定できるものとする。
【００８１】
なお、図８に示す外部調整回路１２−１は、無線ＬＡＮ信号の中間周波数帯を自動設定するための地上放送受信用の外部調整回路１２−１（図２参照）の一実施形態を示しているが、衛星放送受信用のときは、図９のようになる。
すなわち、図９は、無線ＬＡＮ信号の中間周波数帯を自動設定するための衛星放送受信用の外部調整回路１２−１（図２参照）の一実施形態を示している。
【００８２】
また、図９においては、周波数変換回路５３除いて、各構成要素に図８と同一の符号を付して示している。
動作は、外部調整回路１２−１の周波数変換回路５３の出力を分岐して取り出し、放送波自動検出回路５０に供給して放送波信号を検出する。その検出した信号を放送波情報信号生成回路５１に供給して、無線ＬＡＮ信号を変換すべき周波数帯を表す放送波情報信号を生成させる。本実施形態の場合も、生成した放送波情報信号は放送波情報信号伝達回路５２を介して、例えば、図５（ａ）に示す周波数変換回路１９に送られ、同回路内のルックアップテーブル４１により最も適した無線ＬＡＮ信号や無線アクセス信号の中間周波数帯を指定する。
【００８３】
【発明の効果】
本発明によれば、衛星放送または地上波放送の受信用アンテナと、無線ＬＡＮまたは無線アクセスといったネットワーク接続用の送受信アンテナとを一体化することにより、衛星放送波または地上放送波を受信し、さらに、無線ＬＡＮまたは無線アクセスによるインターネット接続サービスを利用する場合において、個別にアンテナを設置する必要がないので、家庭で放送とインターネット接続サービスを利用するために必要なアンテナの設置を簡便化できるとともに、衛星や地上放送の受信者が容易に無線ＬＡＮまたは無線アクセスの受信を開始できるようになる。
【００８４】
また、本発明によれば、無線ＬＡＮまたは無線アクセスの受信者が容易に衛星放送を受信できるようになるので、衛星放送の普及および無線ＬＡＮまたは無線アクセスによるインターネットの普及に貢献することができる。また、建物と建物、建物と人や自動車など移動体とのネットワーク接続が容易に実現できるようになるので、これらのネットワークを利用した放送番組の交換や流通といったサービスも可能となる。
【００８５】
また、本発明によれば、視聴者が衛星または地上のデジタル放送を視聴する場合にも、デジタル放送受信機と電話線など上り回線との接続を不要にし、さらに、双方向サービスやテレビ受信機からのインターネット接続を容易にするテレビ受信環境を提供することができる。
【００８６】
また、本発明によれば、屋内で無線ＬＡＮまたは無線アクセス信号のみを屋内アンテナを経て再送信することにより、直接無線ＬＡＮまたは無線アクセス信号を屋内で受信することが困難な家庭でも良好な無線ＬＡＮまたは無線アクセスの通信が可能になる。
【００８７】
また、本発明に使用する無線ＬＡＮまたは無線アクセスによるインターネット接続サービスの送受信に使用する外部調整回路の周波数変換部分を、ミキサ回路の入力側に帯域通過フィルタを配置するとともに、ミキサ回路に後続して低域通過フィルタを設けた構成にすることにより、高価な可変帯域通過フィルタを使用しないですむので、本発明装置を低コスト化することができる。
【図面の簡単な説明】
【図１】本発明による放送波受信と無線ＬＡＮまたは無線アクセスによるインターネット接続サービスの送受信とを両立させたアンテナ装置の一実施形態を概念図にて示している。
【図２】本発明による放送波受信と無線ＬＡＮまたは無線アクセスによるインターネット接続サービスの送受信とを両立させたアンテナ装置の一実施形態をブロック図にて示している。
【図３】図２に示す無線ＬＡＮ信号の外部調整回路および室内調整回路の詳細をブロック図にて示している。
【図４】図３に示す外部調整回路および室内調整回路中の周波数変換回路の第１の実施形態をブロック図にて示している。
【図５】図３に示す外部調整回路および室内調整回路中の周波数変換回路の第２の実施形態をブロック図にて示している。
【図６】図３に示す外部調整回路および室内調整回路中の周波数変換回路の第３の実施形態をブロック図にて示している。
【図７】図３に示す外部調整回路および室内調整回路中の周波数変換回路の第３の実施形態をブロック図にて示している。
【図８】無線ＬＡＮ信号の中間周波数帯を自動設定するための地上放送受信用の外部調整回路１２−１（図２参照）の一実施形態を示している。
【図９】無線ＬＡＮ信号の中間周波数帯を自動設定するための衛星放送受信用の外部調整回路１２−１（図２参照）の一実施形態を示している。
【符号の説明】
１  衛星放送アンテナ
２  無線ＬＡＮアンテナ
３  地上放送アンテナ
４  無線ＬＡＮの基地局
５  建物
６  衛星局
７  衛星放送受信機
８−１，８−２  パソコン
９−１  無線ＬＡＮカード
９−２  無線ＬＡＮアンテナ
１０  同軸ケーブル
１１  アンテナ調整治具
１２−１，１２−２  外部調整回路
１３  信号多重／分離回路
１４  信号分離／多重回路
１５−１，１５−２  室内調整回路
１６  無線ＬＡＮルータ
１７，２２  前置インピーダンス整合回路
１８，２３  前置増幅回路
１９，２４  周波数変換回路
２０，２６  後置増幅回路
２１，２７  後置インピーダンス整合回路
２５  可変減衰回路
２８，３３  ミキサ回路
２９，３４  周波数設定回路
３０，３５  周波数制御回路
３１，３６  可変局部発振回路
３２  可変帯域通過フィルタ
３７  帯域通過フィルタ
３８，４４  設定符号生成回路
３９，４３  設定符号通信回路
４０  無線ＬＡＮ信号及び設定符号多重／分離回路
４１，４５  ルックアップテーブル
４２  無線ＬＡＮ信号及び設定符号分離／多重回路
４６  局部発振回路
４７  インピーダンス変換回路
４８  前置増幅回路
４９  後置増幅回路
５０  放送波自動検出回路
５１  放送波情報信号生成回路
５２  放送波情報信号伝達回路
５３  周波数変換回路
【図１】
2004186920.tif 000003
【図２】
2004186920.tif 000004
【図３】
2004186920.tif 000005
【図４】
2004186920.tif 000006
【図５】
2004186920.tif 000007
【図６】
2004186920.tif 000008
【図７】
2004186920.tif 000009
【図８】
2004186920.tif 000010
【図９】
2004186920.tif 000011